(57)【要約】      （修正有）【課題】運転性能の低下を防止し、放熱ロスを減少し、全体の熱効率を高め、小型で起動が早く、高い運転効率が得られる水素製造用改質器を提供する。【解決手段】改質器の外覆を形成する直立の円形外筒１０の内側には、半径方向に間隔を置いて同心状に配置された円形内筒６８と、前記外筒と前記内筒の間であって半径方向にそれぞれ間隔を置いて同心状に配置された円形中間筒群６０と、前記内筒の内側であって半径方向に間隔を置いて同心状に配置された円形輻射筒１４と、該輻射筒の半径方向中心に位置するように改質器の軸方向一端部に固設されたバーナ１８と、水蒸気発生器３４とが設けられている。また、前記内筒および中間筒群ならびに外筒間にはそれぞれ、改質触媒層１３、ＣＯ変成触媒層１１および／またはＣＯ選択酸化触媒層１２、改質原料ガスおよび改質用水導入用の冷却流体路４８、そして空気通路４２となるように互いに連通する複数の環状流路が層状に形成されている。【選択図】図３
2004323353.tif 000002
【特許請求の範囲】
【請求項１】
直立した円形外筒と、該外筒の内側であって半径方向に間隔を置いて同心状に配置された円形内筒と、前記外筒と前記内筒の間であって半径方向に間隔をおいて同心状に配置された１つまたは複数の円形中間筒と、前記内筒の内側であって半径方向に間隔をおいて同心状に配置された輻射筒と、該輻射筒の半径方向中心に位置するように改質器の軸方向一端部に固設されたバーナとからなり、それぞれ間隔をおいて同心状に配置された前記１つまたは複数の中間筒は、前記内筒と最内部の中間筒との間、互いに隣接する各中間筒の間並びに最外部の中間筒と前記外筒との間で形成された環状流路が互いに連通して形成されており、該環状通路の少なくとも一部に改質触媒層となる改質触媒が充填された単管円筒式改質器であって、
前記改質触媒層の上流側に隣接して予熱層を設けたことを特徴とする単管円筒式改質器。
【請求項２】
前記改質触媒層の上流側に設けられた予熱層には、伝熱促進体として機能する充填物が充填されていることを特徴とする請求項１に記載の単管円筒式改質器。
【請求項３】
前記改質触媒層の外側の隣接する環状流路に、前記改質触媒層と連通し、かつ、前記予熱層に対向する位置に配置されるように設けられた熱回収層をさらに具備する請求項１または２に記載の単管円筒式改質器。
【請求項４】
前記熱回収層は該熱回収層の流路幅の１／２〜１／５に相当する代表長さを有する充填物が充填されていることを特徴とする請求項３に記載の単管円筒式改質器。
【請求項５】
直立した円形外筒と、該外筒の内側であって半径方向に間隔を置いて同心状に配置された円形内筒と、前記外筒と前記内筒の間であって半径方向に間隔をおいて同心状に配置された１つまたは複数の円形中間筒と、前記内筒の内側であって半径方向に間隔をおいて同心状に配置された輻射筒と、該輻射筒の半径方向中心に位置するように改質器の軸方向一端部に固設されたバーナとからなり、それぞれ間隔をおいて同心状に配置された前記１つまたは複数の中間筒は、前記内筒と最内部の中間筒との間、互いに隣接する各中間筒の間並びに最外部の中間筒と前記外筒との間で形成された環状流路が互いに連通して形成されており、該環状通路の少なくとも一部に改質触媒層となる改質触媒が充填された単管円筒式改質器であって、
改質器の内部に蒸気発生器を具備する単管円筒式改質器。
【請求項６】
水蒸気発生装置が前記輻射筒に隣接して設けられ、前記輻射筒を伝熱面の一部とした水蒸気発生装置を具備したことを特徴とした請求項５に記載の単管円筒式改質器。
【請求項７】
直立した円形外筒と、該外筒の内側であって半径方向に間隔を置いて同心状に配置された円形内筒と、前記外筒と前記内筒の間であって半径方向に間隔をおいて同心状に配置された１つまたは複数の円形中間筒と、前記内筒の内側であって半径方向に間隔をおいて同心状に配置された輻射筒と、該輻射筒の半径方向中心に位置するように改質器の軸方向一端部に固設されたバーナとからなり、それぞれ間隔をおいて同心状に配置された前記１つまたは複数の中間筒は、前記内筒と最内部の中間筒との間、互いに隣接する各中間筒の間並びに最外部の中間筒と前記外筒との間で形成された環状流路が互いに連通して形成されており、該環状通路の少なくとも一部に改質触媒層となる改質触媒が充填された単管円筒式改質器であって、
少なくとも前記外筒および前記内筒の各軸方向端部が、前記バーナの固設位置とは反対側において、互いに所定の間隔をおいて離隔するように、それぞれ個別の蓋板で封止された多重底構造であることを特徴とする単管円筒式改質器。
【請求項８】
前記バーナが改質器の上端に固設され、前記各蓋板が前記外筒、前記中間筒および前記内筒のそれぞれ下端に取り付けられていることを特徴とする請求項７に記載の単管円筒式改質器。
【請求項９】
前記バーナが改質器の下端に固設され、前記各蓋板が前記外筒、前記中間筒および前記内筒のそれぞれ上端に取り付けられていることを特徴とする請求項７に記載の単管円筒式改質器。
【請求項１０】
改質器を用いる燃料電池と組合せて使用される請求項１〜９に記載の単管円筒式改質器。
【発明の詳細な説明】
【技術分野】
【０００１】
本発明は、都市ガス、天然ガス、ＬＰＧ等の炭化水素系原燃料やアルコール類を水蒸気改質して水素リッチな改質ガスを製造する単管円筒式改質器に関し、特に固体分子型燃料電池に組み合わされて用いられる改質器に関する。
【背景技術】
【０００２】
改質器は、都市ガス、天然ガス、ＬＰＧ等の炭化水素系原燃料およびまたはアルコール類を水蒸気改質して水素濃度の高い（水素リッチな）改質ガスを生成する装置であり、光ファイバーや半導体の製造過程や燃料電池等で使用する水素を製造するために広く使用されている。
【０００３】
改質器における改質反応は、メタンの例で示すと、次のようになる。
ＣＨ４+Ｈ２Ｏ→ＣＯ＋３Ｈ２（ＣＨ４＋Ｈ２Ｏ←ＣＯ＋３Ｈ２）
ＣＯ＋Ｈ２Ｏ→ＣＯ２＋Ｈ２（ＣＯ＋Ｈ２Ｏ←ＣＯ２＋Ｈ２）
【０００４】
改質器による水蒸気改質反応は吸熱反応であることから、反応を持続させるために加熱が必要で、通常バーナ等の燃焼装置を改質器に付設し、改質原料ガスや燃料電池からの余剰水素の燃焼によって加熱される。
【０００５】
比較的小容量の水素を製造する改質器としては、例えば、特開平１１−１１９０１に開示されているような単管円筒式改質器が知られている。この単管円筒式改質器は、２つの円筒間に触媒層を内蔵させた円筒容器の中心にバーナ等の加熱手段を設け、触媒層を加熱手段で加熱し触媒層に通した改質原料ガスを水蒸気により改質するように構成している。
【０００６】
図１は従来の単管円筒式改質器の概略構成を示す縦断面図である。
【０００７】
図示した単管円筒式改質器は、横断面が円形で直立した細長い外筒１と、外筒１の内部に配置された円形内筒３と、外筒１の内側において内筒３に一定の間隔をおいて内筒３を囲繞する中間筒２と、内筒３の内側に輻射筒４がそれぞれ中心軸を同一にて配置され、内筒３と中間筒２との間の環状間隙に改質触媒５が充填され、輻射筒４の内側に設けられた燃焼室９の上部にはバーナ取付台６により支持されてバーナ７が配置され、外筒１および内筒３の下端には共通の一枚板である蓋板（底板）１ａが取り付けられている。図示した単管円筒式改質器ではバーナ７が燃焼室９の上部に配置されているが、燃焼室９の下部に配置する場合（図示せず）もあり、その場合は、蓋板１ａは天井板として外筒１および内筒３の上端に共通の一枚円板として取り付けられる。
【０００８】
図１に示した単管円筒式改質器は次のように作動する。
【０００９】
バーナ７の燃焼炎８により燃焼室９の内部に高温の燃焼ガスが生成され、その熱は輻射筒４を介して内筒の半径方向外側へ伝達されて改質触媒５を加熱すると共に、同時に、高温の燃焼ガスが輻射筒４の下部より内筒３の内側に侵入して上昇流となり直接的に改質触媒５を加熱する。燃焼ガスは加熱後に改質器の上端部から排出される。一方、改質器上部から導入された改質原料ガスは、改質触媒５が充填された環状の流路を下降する間に、加熱されて７００℃程度まで昇温され、十分な水蒸気改質が行われる。改質された原料ガス( 改質ガス) は改質器の下部で反転され、外筒１および内筒３の間に形成される通路に発生する上昇流に転じ、この間に改質ガスの持つ顕熱が中間筒２の内側の改質工程に回収されて温度が降下し、改質ガスとして改質器の上端部から外に取り出される。
【発明の開示】
【発明が解決しようとする課題】
【００１０】
図１に示す従来の単管円筒式改質器は次のような問題を有する。
（１）流体の仕切りを必要とする外筒１および内筒３の下端部に共通の１枚の蓋板１ａが溶接などで密封状に固定されているため、運転時の温度差により外筒１および内筒３に発生する熱応力のために、特に高温となる内筒３の坐屈変形を来し、これに起因する下記要因により改質器の性能低下を来す虞がある。
イ．内筒３の割れによる改質ガスの流出、
ロ．内筒３の変形による改質触媒の破損、
ハ．内筒３の変形による不均一な周方向の加熱
（２）燃焼室９が外部に対して内筒３と外筒１に共通の１枚の蓋板１ａで仕切られているため、断熱性が低く、蓋板１ａ部分からの放熱ロスが大きくなる。
【００１１】
図１に示す改質器に限らず、固体高分子型燃料電池を家庭や自動車等に用いる場合には、単管円筒式改質器を含む改質装置全体の小型軽量化が必須条件であると共に、より効率の高い運転と運転開始の立ち上り時間を短縮させる等の各種の改良が必要とされる。 例えば、改質原料ガスの効率的な予熱による燃料の削減、蒸気発生器の過熱防止による使い勝手の向上、改質器内部の必要な温度の保持と熱量の有効利用による高効率化、有効な断熱構造による外部への放熱の抑制、内部温度差によって生じる熱応力を緩和して高い耐久性の実現、反応熱を有効利用して蒸気発生の効率化、運転状態の変動に効率的に対応可能な運転方法等が求められていると共により熱効率の高い改質器が求められている。
【００１２】
本発明は、従来技術における上記問題点に鑑みてなされたもので、その第１の目的とするところは、改質器において燃焼熱を有効に使用するとともに反応熱を有効に利用して、総合的な熱効率を高めることであり、第２の目的とすることは改質器を構成する外筒および内筒の軸方向の熱変位を自由な状態にして熱応力を発生させず、特に内筒の坐屈変形の発生とこれに起因する改質器の性能低下を防止するとともに、燃焼室から蓋板を介しての放熱ロスを減少するようにした単管円筒式改質器を提供することにある。
【課題を解決するための手段】
【００１３】
上記第１及び第２の目的を達成するために、直立した円形外筒と、該外筒の内側であって半径方向に間隔を置いて同心状に配置された円形内筒と、前記外筒と前記内筒の間であって半径方向にそれぞれ間隔を置いて同心状に配置された複数個の複数の円形中間筒と、前記内筒の内側であって半径方向に間隔を置いて同心状に配置された円形輻射筒と、該輻射筒の半径方向中心に位置するように改質器の軸方向一端部に固設されたバーナと、前記内筒と最内部の中間筒との間および互いに隣接する各中間筒の間ならびに最外部の中間筒と前記外筒との間にそれぞれ半径方向層状に形成され、少なくとも一部に改質触媒層となる改質触媒が充填されたかつ互いに連通する複数の環状流路とを有する単管円筒式改質器において、本発明は以下の特徴的態様を有する。
１、水蒸気発生器が内部の輻射筒に設けられ、該輻射筒の壁面を介して該蒸気発生器が加熱される。
２、改質触媒を充填した改質触媒層の上部前段に、伝熱促進体を充填した予熱層が設けられている。
３、改質触媒層の外周に該改質触媒層と下端で接続し、改質ガスを上昇させて、該改質ガスが保有する熱を改質触媒層に伝達する熱回収層が設けられている。
４、熱回収層内部には所定の直径のセラミック球が充填されている。
【００１４】
また上記第２の目的を達成するために、本発明によれば、直立した円形外筒と、該外筒の内側であって半径方向に間隔を置いて同心状に配置された円形内筒と、前記外筒と前記内筒の間であって半径方向に間隔を置いて同心状に配置された円形中間筒ユニットと、前記内筒の内側であって半径方向に間隔を置いて同心状に配置された円形輻射筒と、該輻射筒の半径方向中心に位置するように改質器の軸方向一端部に固設されたバーナと、前記内筒と前記中間筒ユニットとの間および前記中間筒ユニットと前記外筒との間にそれぞれ半径方向層状に形成され、少なくとも一部に改質触媒層となる改質触媒が充填されたかつ互いに連通する複数の環状流路とを有する単管円筒式改質器であって、前記外筒および前記内筒の各軸方向端部が、前記バーナの固設位置とは反対側において、互いに所定の間隔を置いて離隔するように、それぞれ個別の蓋板で封止された多重底構造であることを特徴とする単管円筒式改質器が提供される。
【００１５】
上記本発明において、前記バーナは改質器の上端に固定され、前記個別の各蓋板が前記外筒および前記内筒の下端にそれぞれ取り付けられている。
【００１６】
前記バーナは改質器の下端に固定され、前記個別の各蓋板が前記外筒および前記内筒の上端にそれぞれ取り付けられている。
【００１７】
上記本発明において、改質器の内部に、水蒸気発生器がさらに設けられている。
【００１８】
上記本発明による単管円筒式改質器は燃料電池とともに使用されるのが好ましい。
【発明の効果】
【００１９】
本発明によれば、次のような極めて優れた効果が得られる。
（１）外筒および内筒の軸方向の熱変位が自由となるため、熱応力による各筒の変形特に内筒の坐屈ならびにこれによる改質器の性能低下を防止することができる。
（２）燃焼室と改質器外部とは、ガスの滞留空間を含む多重の蓋板（底板）によって仕切られているため、この部分での断熱効果が向上し、改質器からの放熱ロスが抑制され、改質器の性能を向上させることができる。
（３）改質触媒層の前段に予熱層を設けたことにより、原料予熱器を不要とし、かつ消費熱量を低減できる。
（４）予熱層の入口と熱回収層の出口を接近させたことから、熱回収層出口の温度を低下でき、改質触媒層とＣＯ変成触媒層とを直結に構成できる。
（５）輻射筒の一部を伝熱面として加熱される水蒸気発生器を設けたことにより、ボイラを小型改質器で一体化でき、過熱による損傷を防止し、燃焼排ガスの熱量を有効に利用できることから熱効率を向上できる。
（６）熱回収層に伝熱促進用充填物を充填したことにより、熱回収効率が向上でき、出口温度を低減できる。
（７）断熱材を適所に充填したことにより、改質器内部からの熱放出を防止し、熱効率を高めることができ、かつ、各部を適宜に熱遮断し、適切な温度に保持することができる。
【００２０】
前記及び他の多くの本発明の目的、態様ならびに利点が、本発明の原理に合致する好適な具体例を実施例として示している以下の詳細な記述及び添付の図面に関連して説明されることにより、当業者にとって明らかになるであろう。 
【発明を実施するための最良の形態】
【００２１】
以下に、本発明の好ましい幾つかの実施例が添付の図面を参照しながら説明される。
【００２２】
図２は本発明の第１の実施例による単管円筒式改質器の概略構成を示す縦断面図である。
【００２３】
図示された第１の実施例による改質器は、横断面が円形の細長い外筒１が直立状に配置され、外筒１の内部には中心軸同一にして断面が円形の細長い内筒３が配置されている。さらに、外筒１の内側において内筒３から一定の間隔をおいて内筒３を囲繞する中間筒２が設けられおり、内筒３と中間筒２との間に形成される環状間隙に改質触媒５が充填されている。さらに、内筒３の内側には内筒３と中心軸を同じくして輻射筒４が配置され、輻射筒４の内側に形成された燃焼室９の上方にはバーナ取付台６を介してバーナ７が取り付けられている。外筒１および内筒３の前記バーナ７に対向する軸方向下端部にそれぞれ個別の蓋板（底板）１ｂ、３ａが溶接などにより密封状に固定されている。外筒１の蓋板１ｂと内筒３の蓋板３ａとの間には一定の間隙が存在する。換言すれば、蓋板１ｂ、３ａは（共通の１枚円板でなく）外筒１および内筒３の中心方向に関して二重構造となっている。
【００２４】
本第１の実施例では、バーナ７とバーナ取付台６が燃焼室９の上部に配置され、蓋板（底板）１ｂ、３ａが外筒１および内筒３の下端にそれぞれ取り付けられ、二重構造となる。しかしながら、あえて図示しないが、別の実施例として、バーナ７とバーナ取付台６を燃焼室９の下部に配置する場合もあり、この場合にも、内筒３と外筒１の各蓋板（この場合は共に天井板となる）が（共通の１枚円板でなく）二重構造となる。蓋板１ｂと蓋板３ａとの軸方向の距離は外筒１および内筒３の軸方向の熱変位差を考慮すると共に、改質ガスがそこにおいて自然対流を起こさせない観点から適宜に決定される。
【００２５】
なお、図２には図示されていないが、都市ガス等の改質原料ガスと共に改質器内に導入される水蒸気を発生・供給するための水蒸気発生器が改質器の内部または外部に設けられている。
【００２６】
図２に示されるの改質器は次のように作動する。
【００２７】
例えば、都市ガス（１３Ａ）からなる燃料と燃焼用空気がバーナ７に供給されて燃焼されると燃焼室９内に燃焼炎８として噴出され、燃焼室９の内部には高温燃焼ガスが充満する。この高温燃焼ガスの熱は輻射筒４を介して改質触媒５を間接的に加熱し、同時に輻射筒４の下部より内筒３の内側に侵入して上昇流となり、内筒３の壁を通して直接的に改質触媒５を加熱し、改質器の上端部から排出される。改質器上部から導入された都市ガスと図示しない水蒸気発生器から供給される水蒸気とからなる改質原料ガスは、改質触媒が充填された環状流路を下降する間に、燃焼ガスにより加熱されて７００℃程度まで昇温され、十分な水蒸気改質が行われる。改質触媒の温度はこれを充填している環状流路の下端部すなわち中間筒２の下端部付近で最高になる。環状流路の下端部から出る改質ガスは反転して上昇流に転じ、上昇中に改質ガスの持つ顕熱が内側の改質工程に回収されて温度が降下し(約２００℃)、水素高濃度の改質ガス(水素、ＣＯおよびＣＯ2などの混合ガス)として改質器の上端部から外に取り出される。
【００２８】
本発明は、上記第１の実施例のほかに、ＣＯの含有濃度が低く、効率的で、良好な起動性を有し、かつ小型軽量化を実現し、更に熱的に安定した無駄のない単管円筒式改質器をも提供する。
【００２９】
本発明の第２の実施例として、図３に、小型軽量単管円筒式改質器に関する一例の概略構成が示される。
【００３０】
改質器８１は、円形外筒１０と、該外筒１０の内部に同心状に設けられた中間群６０と、これらの中間筒群の内側に同心状に設けられた内筒６８と、この内筒６８と最も内側に設けられた中間筒６７との間に形成された環状空間内に設けられた改質触媒層１３、中間筒６５と６４との間に形成された環状空間内に設けられたＣＯ変成触媒層１１（以下シフト層１１ともいう。）、最も外側に設けられた中間筒６１とその次の中間筒６２との間に形成された環状空間内に設けられたＣＯ選択酸化触媒層１２（以下ＰＲＯＸ層１２ともいう。）等から構成されている。
【００３１】
さらに、内筒６８の内側には内筒６８と同心状に設けられた伝熱隔壁１４(輻射筒)が配置してあり、伝熱隔壁１４の内側にバーナ取付台１６を介してバーナ１８が取り付けられている。
【００３２】
外筒１０は、断面が円形の有底円筒で、上部側面に飽和または過熱水蒸気取り出し口２０、湿り水蒸気取り出し口２１、水の供給口２２、燃焼排ガスの取り出し口２４、改質原料ガスと水蒸気との組み合わせ流体の供給口２６、改質ガスの取り出し口２８、ＰＲＯＸ層用空気の供給口３０が設けられている。
【００３３】
中間筒群６０は、第１中間筒６１から第７中間筒６７までの複数の中間筒からなり、各中間筒間で環状の空隙をそれぞれ形成している。第１中間筒６１と外筒１０の間にはＰＲＯＸ層１２へ空気を供給する空気通路４２が形成してある。この空気通路４２は底部で全周囲に連結し、全体を空気層で包むジャケット構造を形成し、更に第１中間筒６１には、底７１と側面に空気を導入させる空気導入孔４３が形成してある。
【００３４】
第１中間筒６１と第２中間筒６２の間は、上下２段にＰＲＯＸ層１２が形成してある。いずれのＰＲＯＸ層１２も、ＰＲＯＸ触媒層４４と空気混合層４６からなり、下段のＰＲＯＸ層１２ａは内側のシフト層１１と下部で連通し、上段のＰＲＯＸ層１２ｂは上部で改質ガスの取り出し口２８に接続している。改質ガスの取り出し口２８は、例えば固体高分子型燃料電池１００の燃料ガス供給管１０２に接続され、改質ガスの取り出し口２８から取り出された所定の濃度の水素を含有した改質ガスｄ（燃料ガス）が固体高分子型燃料電池１００の燃料極側（図示せず）に供給され、それにより発電作用がなされる。また、固体高分子型燃料電池１００で余剰となった改質ガスｅをバーナ１８での燃焼用ガスとして使用してもよい。
【００３５】
空気混合層４６の内部には、所定の直径のセラミック球が充填してあり、気体が空気混合層４６の内部を通過するとセラミック球が流路を屈曲させて、効率よく混合されるようになっている。また、空気導入孔４３が空気混合層４６の下部、すなわち空気混合層４６の上流側端部付近に形成してある。セラミック球の径は、流通抵抗の増大と混合の良否を考慮して空気混合層４６の流路幅の１／３〜１／１０とする。セラミック球の径が流路幅の１／３以上では、混合が充分でなく、一方１／１０以下では、通過抵抗が増大して好ましくない。
【００３６】
第２中間筒６２と第４中間筒６４の間は、第３中間筒６３を挟んで冷却流体が通過する冷却流体路４８となっており、上部で改質原料ガスと水蒸気の組み合わせ流体供給口２６に接続している。第３中間筒６３は下部に隙間を有して上方に取り付けられているため、冷却流体路４８は、第３中間筒６３を境にして半径方向に関して分割され、外側がＰＲＯＸ層１２に接する下降通路となっており、内側がシフト層１１に接する上昇通路となっている。なお、冷却流体路４８流入される冷却流体の主なものは、改質原料ガスと改質用水との組み合わせ流体であるが、さらに後述するように、他のものを通過させるようにしてもよい。
【００３７】
第４中間筒６４と第５中間筒６５との間には、シフト層（ＣＯ変成触媒層）１１が形成してある。シフト層１１は、その内部にＣＯ変成触媒が充填してあり、熱回収層５０と上部で接続し、下部でＰＲＯＸ層１２に接続し、ＣＯの変成反応を行なう。第５中間筒６５は、下部で第１中間筒６１の底部に接続している。第５中間筒６５はシフト層１１の内壁で、第６中間筒６６は熱回収層５０の外壁であり、これら両者の間には空間が形成されており、両者間を断熱する断熱層４９であり、また両者の熱応力を緩和する緩衝機構となっている。
【００３８】
第６中間筒６６と第７中間筒６７の間には、球状のセラミックが充填された熱回収層５０であり、球状のセラミックは、その直径が熱回収層５０の通路幅の１／２〜１／５となっている。セラミック球の直径が通路幅の１／２を越えると、伝熱効果が低下し、通路幅の１／５以下では流通抵抗が増加してしまうため好ましくない。このセラミック球は、熱回収層５０内を通過するガスの熱を、第７中間筒６７を介して接する改質触媒層１３に伝達する機能を有している。また第６中間筒６６の下部には、底板７６が取り付けてあり、内筒６８の下部に取り付けられた底板７８との間に空間が形成されている。
【００３９】
第７中間筒６７と内筒６８との間に形成される環状空間には、上流側に予熱層５１が設けられており、この予熱層５１にも伝熱効果を向上させるための充填物、例えば通路幅の１／２〜１／５の直径を有するセラミック球、が充填されている。その予熱層５１の下流側に改質触媒層１３が形成してある。予熱層５１は、その上流側で冷却流体路４８に連通している。改質触媒層１３には、改質原料ガスを水蒸気改質する改質触媒が充填してある。改質触媒層１３は、その下部において内筒６８の底板７８と第６中間筒６６の底板７６との間に形成された空間を介して熱回収層５０の下端に連通している。また、底板７８と底板７６との間の間隙は、バーナ１８の燃焼部分の断熱層としての機能も有している。
【００４０】
内筒６８の内側には円筒状の伝熱隔壁１４が、底板７８との間に適度な間隔を設けて取り付けられている。伝熱隔壁１４と内筒６８の間隙は、バーナ１８での燃焼排ガスを流通させる排ガス通路として形成してあり、上部で燃焼排ガスの取り出し口２４に接続している。伝熱隔壁１４の上部内側には、蒸気発生器３４が設けられている。
【００４１】
水蒸気発生器３４は、一面を伝熱隔壁１４とした空隙で、内部に隔壁３５を設けて内外方向に区画してあり、区画されたそれぞれの部分に水蒸気取り出し口２０と水の供給口２２が連結されている。更に、水の供給口２２の流出口に対向する側には湿り水蒸気の取り出し口２１が取り付けてあり、水蒸気取り出し口２０と湿り水蒸気の取り出し口２１は、それぞれ流量を調節する調整弁Ｂ(図４参照)を介して改質原料ガスと水蒸気との組み合わせ流体供給口２６に接続している。
【００４２】
伝熱隔壁１４の中心には、バーナー１８が設けられている。バーナ１８は、火口の高さが水蒸気発生器３４の下端以下となる位置に配置してあり、バーナー１８に点火されて、火口から炎が出ている状態でも、その炎は蒸気発生器３４に直接かからないように配置されている。
【００４３】
図４は図３におけるＩＶ−ＩＶ線に沿った水平断面図である。ただし、ここでの説明に不必要な供給口ならびに取り出し口は除かれている。
【００４４】
図４を参照して本発明の単管円筒式改質器における水蒸気と改質原料ガスとの組み合わせ流体の供給制御を説明する。改質器８１の水蒸気発生器３４へは、給水バルブＡ及び供給口２２を介して改質用の水ａが供給される。起動時、バーナー１８の点火からバーナー１８による加熱で水蒸気発生器３４より飽和または過熱水蒸気ｂ１が蒸気取り出し口２０から取り出されるまでには、所定時間を要するが、バーナー１８による加熱が進み改質器内部の温度が上昇すると、水蒸気取り出し口２０から所定量の飽和または過熱水蒸気ｂ１が取り出されるようになる。
【００４５】
一方、改質を受ける改質原料ガスｃは改質原料ガス供給制御弁Ｃを介して供給され、調整弁Ｂを操作することにより合流する過熱水蒸気ｂ１と一緒に改質原料ガス供給口２６から改質器内部へ導入されて、改質器内での改質原料ガスｃの水蒸気改質が開始される。
【００４６】
改質器内部の温度が所定の温度を超え始めると、改質器の運転を起動運転状態から定常運転状態に進ませるために、飽和または過熱水蒸気ｂ１の供給を止めると共に、その代わりとして水蒸気発生器３４に連通する湿り水蒸気供給口２１から出される液状の水を含んだ湿り水蒸気ｂ２が供給されるように調整弁Ｂが操作される。
【００４７】
次に、本発明の単管円筒式改質器の主要運転動作が図５に示すフローチャートに従って説明される。
【００４８】
最初に、給水バルブＡが開旋され、給水口２２から改質器内の水蒸気発生器３４に水ａが供給される（Ｆ−１）。続いて、改質器内に設けられたバーナー１８が点火されて改質器の起動が開始される（Ｆ−２）と共に、過熱水蒸気ｂ１を混合された改質を受ける改質原料ガスｃが改質器内に導入される。
【００４９】
バーナー１８による燃焼によって改質器内の温度が次第に高くなるが、定常運転に移行する目安としてシフト層１１の折り返し点Ｐにおける温度Ｔが検出される（Ｆ−３）。この折り返し点温度Ｔが２００℃以上かどうかの判断がなされ（Ｆ−４）、折り返し点温度Ｔが２００℃以上になった時点で調整弁Ｂが徐々に開かれ（Ｆ−５）、過熱水蒸気ｂ１に代えて液状の水を含む湿り水蒸気ｂ２が改質原料ガスｃに混入されて供給されるようになる。
【００５０】
湿り水蒸気ｂ２の導入は改質器内の温度を下げることになるが、折り返し点温度Ｔが１７０℃以上２３０℃以下（１７０℃≦Ｔ≦２３０℃）であるかどうかチェックされる（Ｆ−６）。折り返し点温度Ｔが１７０℃以下になった場合には、湿り水蒸気ｂ２の供給量を抑えるように、一方、折り返し点温度Ｔが２３０℃以上になった場合には湿り水蒸気の供給量を増やすように、調整弁Ｂの開度が調節される（Ｆ−７）。
【００５１】
折り返し点温度Ｔが所定温度範囲（１７０℃≦Ｔ≦２３０℃）に落ち着いて安定すると、起動運転は終了し、定常運転が開始される（Ｆ−８）。
【００５２】
定常運転開始後、燃料電池１００の使用状態の変化等、何らかの負荷変動が発生した場合には（Ｆ−９）、調整弁Ｂの開度調節状態（Ｆ−６乃至Ｆ−７）に戻り、負荷変動が起こらなければ、定常運転が続行される（Ｆ−１０）。
【００５３】
改質器の運転を終了するときは（Ｆ−１１）、バーナー１８が消火され（Ｆ−１２）、その後、調整弁Ｂや他の全ての弁が閉じられる（Ｆ−１３）。
【００５４】
以上説明した運転動作のうち、主要運転動作の詳細な説明が図３に示した改質器８１に関連して、以下、説明される。
（Ａ）起動時
まず、水の供給口２２から改質用の水ａを供給し、蒸気発生器３４内に水を入れる。そしてバーナ１８を点火し、改質器８１の内部を加熱する。バーナ１８による加熱は、火炎からの輻射熱によって伝熱隔壁１４を加熱し、また燃焼排ガスが伝熱隔壁１４と内筒６８の間を通過して燃焼排ガスの取り出し口２４から排気されることにより、改質触媒層１３と予熱層５１とを内側より加熱する。
【００５５】
蒸気発生器３４は、伝熱隔壁１４と内筒６８の間を通過する燃焼排ガスと、バーナ１８の燃焼室内の温度上昇と、伝熱隔壁１４からの伝熱により徐々に加熱される。
【００５６】
蒸気発生器３４が十分に加熱され、飽和または過熱水蒸気ｂ１の発生量が所定値に達したなら、蒸気取り出し口２０から水蒸気ｂ１を取り出し、水蒸気ｂ１を改質原料ガスｃに加えて、改質原料ガス供給口２６より供給する。
【００５７】
このように、バーナ１８の燃焼により蒸気発生器３４が加熱されることから、比較的短時間で改質器８１の起動に必要な水蒸気ｂ１を得ることができる。また、バーナ１８の燃焼排ガスを伝熱隔壁１４と内筒６８の間に通過させることにより、燃焼排ガス中に含まれる熱を吸収し、有効に利用して効率を向上することができる。
【００５８】
改質原料ガスｃは、都市ガス等の炭化水素系燃料であり、水蒸気ｂ１と共に供給口２６から供給されると、第２中間筒６２と第４中間筒６４の間に形成された冷却流体路４８を通り、予熱層５１に送られる。その間に冷却流体路４８では、冷却流体路４８に接するシフト層１１とＰＲＯＸ層１２の温度が低いことから、水蒸気ｂ１や改質原料ガスｃはシフト層１１とＰＲＯＸ層１２に熱を供給する。殊に水蒸気ｂ１は、液化して潜熱を供給し、これによりシフト層１１とＰＲＯＸ層１２の温度上昇を早めることができる。
【００５９】
改質原料ガスｃが予熱層５１に入ると、予熱層５１内に充填されているセラミック球はバーナ１８からの熱により加熱されていることから、改質原料ガスｃはその熱を吸収し、改質反応に必要な所定の温度以上に加熱されて改質触媒層１３内に進入する。また、予熱層５１は温度の低い改質原料ガスｃや水蒸気ｂ１が供給されることから、この入口付近において温度を低く抑えられる。改質触媒層１３に進入した改質原料ガスｃは、例えばメタンガスの場合次の反応で改質される。
ＣＨ４＋Ｈ２Ｏ  →  ＣＯ＋３Ｈ２
【００６０】
改質触媒層１３における改質反応は吸熱反応であることから、バーナ１８の燃焼熱を吸収して反応が進行する。具体的には、バーナ１８の燃焼排ガスが伝熱隔壁１４と改質触媒層１３の間を通過するときに、燃焼排ガスの熱が改質触媒層１３に吸熱され、改質触媒層１３では温度上昇を伴いながら改質反応が行なわれる。改質ガスは反応がほぼ平衡になると、改質触媒層１３の下部から出て、下端で反転して熱回収層５０内に進入する。
【００６１】
熱回収層５０の内部にはセラミック球が充填されており、改質ガスの熱はセラミック球を介して改質触媒層１３に供給される。また熱回収層５０の上端は、比較的温度が低い改質原料ガスｃや水蒸気ｂ１が流入する予熱層５１に接し、これにより温度がより低下し、ＣＯ変成反応に適した温度で上部から出て反転してシフト層１１内に進入する。
【００６２】
シフト層１１では次のようなＣＯ変成反応が行われる。
ＣＯ＋Ｈ２Ｏ  →  ＣＯ２＋Ｈ２
【００６３】
シフト層１１でのＣＯ変成反応は発熱反応であるが、シフト層１１と熱回収層５０とは間隙をもって構成されていることから、直接熱回収層５０での熱が伝わってシフト層１１を加熱することはなく、シフト層１１の温度をこれによっても低く抑えることができる。
【００６４】
シフト層１１の下部から出た改質ガスは、下端で反転しＰＲＯＸ層１２に進入する。ＰＲＯＸ層１２は、ＰＲＯＸ触媒層４４と空気混合層４６からなり、まず、空気導入孔４３から導入された空気と空気混合層４６を通過する間に混合され、ＰＲＯＸ触媒層４４によりＣＯ選択酸化反応が行なわれる。
【００６５】
ＰＲＯＸ層１２では、次のような反応が行われる。
２ＣＯ＋Ｏ２  →  ２ＣＯ２
【００６６】
ＣＯ選択酸化反応用の空気は、ＣＯをＣＯ２に変換するが、Ｈ２も酸化してしまい、Ｈ２を消費させてしまう。そこで、Ｈ２の酸化を最小限とするため、空気混合層４６を前段に設置し、改質ガスに必要最小限の酸素を供給してＣＯの酸化反応を選択的に行なわせ、しかも複数段で反応を起こさせるようにした。
【００６７】
更に、シフト層１１とＰＲＯＸ層１２の間には、冷却流体路４８が形成されていることから、起動時は水蒸気ｂ１からの熱により反応に必要な温度を得るまでの時間が短縮される。
（Ｂ）定常運転時
そして、各反応部分での温度が所定の温度に達し、定常状態に達すると、湿り水蒸気取り出し口２１に連通する調整弁を徐々に開放し、液体の水を含む湿り水蒸気ｂ２を改質原料ガスｃと共に改質原料ガス供給口２６から供給する。すると、湿り水蒸気ｂ２に含まれる液体の水は、冷却流体路４８にてシフト層１１とＰＲＯＸ層１２の反応熱を吸収し蒸発する。この水分の気化による吸熱作用によって、発熱反応によるシフト層１１とＰＲＯＸ層１２の温度上昇が抑制され、改質器内の温度は所定温度に保持され得る。
【００６８】
また、改質用の水は冷却流体路４８にてシフト層１１とＰＲＯＸ層１２の熱で加熱されて気体となるため、バーナ１８の燃料を絞り、水蒸気発生器３４で加熱して水蒸気を生成するための燃料を節約できる。改質原料ガスｃは、冷却流体路４８にて加熱された水蒸気と共に予熱層５１を介して改質触媒層１３に導入される。
【００６９】
前述したように、バーナ１８により既に予熱層５１内は加熱されており、改質原料ガスｃと水蒸気は予熱層５１で加熱されることから、改質触媒層１３に必要な温度まで改質原料ガスｃの温度を上昇させるため予熱装置等を別途設ける必要がなく、熱効率を高めることができる。また、改質原料ガスｃを予め高温にして供給しないことから、予熱層５１の入口付近の温度、例えば熱回収層５０の出口温度を低下させることができので、熱回収層５０を介して改質触媒層１３の反応温度より低い温度での反応となるシフト層１１を改質触媒層１３に連続して接続させることができる。
【００７０】
予熱層５１で加熱された改質原料ガスｃは、改質触媒層１３でさらに昇温して改質反応され改質触媒層１３の下部より流出する。改質触媒層１３の下部から流出した比較的高温の改質ガスは、熱回収層５０の内部を上昇し、内部に設けられたセラミック球の伝熱促進効果により、改質触媒層１３と熱交換を行ない温度が低下する。つまり、熱回収層５０は下方から上方に行くに従い温度が低下する温度勾配を有しており、改質ガスは熱回収層５０内を上昇するに従い熱が吸収され、温度が低下する。このことは、熱回収層５０と予熱層５１との間でも同様であり、熱回収層５０が改質ガスから吸収した熱は、温度差を利用して熱回収層５０から予熱層５１に伝達される。
【００７１】
したがって、改質触媒層１３の前段に予熱層５１を設け、この予熱層５１の入口と熱回収層５０の出口を接近して構成したことにより、予熱層５１に予熱なしの改質原料ガスｃが導入されて、予熱層５１の入口温度、ひいては熱回収層５０の出口温度上昇が抑制されることとなり、はじめてシフト層１１が連続して構成できるものである。
【００７２】
熱回収層５０でＣＯ変成反応に適した温度まで降温した改質ガスは、上部からシフト層１１に進入し、改質ガスに含まれるＣＯが二酸化炭素に変成される。この反応は発熱反応であるが、冷却流体路４８との熱交換により、ＣＯ選択酸化反応に適した温度まで降温し、次のＰＲＯＸ層１２に進入する。この段階での改質ガスには、ＣＯが０．５％程度含まれている。
【００７３】
また前述したように、熱回収層５０とシフト層１１との間には断熱層４９が形成されていることから、この断熱層４９によって熱回収層５０の熱が遮断され、シフト層１１の温度を所定の温度に保持できる。また、両者の温度差による熱応力を解消し、損傷を防止することができる。
【００７４】
さらに、シフト層１１の外周に設けられた冷却流体路４８により、湿り水蒸気ｂ２を気化させることにより、いわば内部にボイラ部を一体に組みこむこととなり、バーナ１８による燃焼熱を低減でき、かつシフト層１１やＰＲＯＸ層１２を気化熱により冷却し、シフト層１１とＰＲＯＸ層１２を所定の温度に抑制することができるため、シフト層１１では、ＣＯ転化率が上昇でき、ＰＲＯＸ層１２では、好ましくない副反応であるメタネーション反応、および逆シフト反応を抑制することができる。またこのようにシフト層１１とＰＲＯＸ層１２での反応熱および顕熱を回収できるので、熱効率を向上できる。
【００７５】
また更に、シフト層１１やＰＲＯＸ層１２を冷却する場合に、冷却流体路４８に流入される冷却流体としては、燃焼用空気、気体もしくは液体の改質用の水、改質原料ガス等、あるいはこれらの複数の組み合わせを利用してもよい。例えば、冷却流体路４８に燃焼用の空気を流通させる場合は、冷却流体路４８を燃焼用空気専用の通路とし、あるいは冷却流体路４８の通路を分割して燃焼用の空気を通し、改質用の水、改質原料ガス等はこれら通路とは別途通路を設け、改質器８１の内部に導入させるようにする。一般に気体に比較して、液体の改質用水の方が十分な冷却能力が得られ、温度を任意に低下させることができるといえる。またこれを改質原料ガスｃと組み合わせることで、冷却流体用の流入ノズルと改質原料ガスｃの流入ノズルが兼用でき、しかも冷却流体の流出用ノズルが不用にできることから、構成を簡略化できる。また、冷却流体路４８内に送る水蒸気量を調整することにより、冷却流体路４８内における冷却熱量を増減でき、反応上重要なシフト層１１やＰＲＯＸ層１２の温度を所定値に保持することができる。
【００７６】
シフト層１１から出た改質ガスは、空気の供給口３０からの空気が混入される空気混合層４６の内部を進入する。改質ガスは、空気混合層４６を通過する間に空気と混合されるので別途撹拌装置等を設置することなく十分に撹拌でき、撹拌された状態でＰＲＯＸ触媒層４４に進入するので、ＰＲＯＸ触媒層４４での反応において局部的な高酸素濃度の発生による不必要な水素のロスを防ぐことができる。また、孔４３を任意に設定することができるので、ＰＲＯＸ層１２における任意の位置から空気を導入することができ、これにより、ＣＯの選択酸化除去に必要な空気量を削減でき、過剰空気による水素のロスを抑制することができる。
【００７７】
１段目のＰＲＯＸ層１２での反応が終了したなら、次の段のＰＲＯＸ層１２に進入し、再度ＣＯの濃度を低下させる。改質されたガスは、例えば水素７５％、メタン５％、二酸化炭素１９％、窒素１％、一酸化炭素１０ｐｐｍ以下を含むガスとして、改質ガスの取り出し口２８から取出される。このように改質ガスは、一酸化炭素濃度が１０ｐｐｍ以下であるので、固体高分子型燃料電池に供給し、固体高分子型燃料電池の燃料ガスとして使用することができる。
【００７８】
ＰＲＯＸ層１２は、ＰＲＯＸ層１２と外筒１０の間にＰＲＯＸ層１２に導入させる空気が流通される空間が形成され、内部の空気の流通量は微量であることから、空気を滞留させることができ、断熱効果が高く、内部の温度を保持でき、放熱ロスを防止することができる。
（Ｃ）運転状態の負荷変動時
次に、燃料電池等の使用状態が変更され、改質器８１の運転状況が変更された場合について説明する。
【００７９】
何等かの理由で改質器２の運転状況が変更された場合、供給口２６から供給する改質原料ガスの量を調整して水素発生量の変更を行なうが、その場合でも反応を維持するため各部の温度をほぼ一定に保持する必要がある。例えば、改質ガスの必要量が減少し、改質原料ガスの流入量を減少させると、それとともに改質用水の供給量も減少させる必要があるので、シフト層１１やＰＲＯＸ層１２では冷却用の水の減少により温度が上昇してしまうことがある。
【００８０】
そこで、例えば改質原料ガスｃおよび改質用の水の供給量を減少させたときは、水蒸気発生器３４における湿り水蒸気の取り出し口２１に連通する調整弁を開き、蒸気取り出し口２０からの飽和または過熱水蒸気の取り入れを減少させる。このようにすると、供給口２６から流入する水蒸気の湿り度が大きくなることから潜熱で吸収される熱量が増加し、シフト層１１やＰＲＯＸ層１２での温度上昇を防止することができ、不必要な熱損失を発生させることなく、また他から熱量を補充することなく各部の温度を保持することができる。
【００８１】
さらに、水蒸気発生器３４が伝熱隔壁１４の熱伝達を介して加熱され、バーナ１８の火炎により直接加熱されていないことから、水蒸気発生器３４への改質用の水の供給量を減少させて内部が乾燥状態になった場合でも、水蒸気発生器３４が過熱されることがない。
【００８２】
また、逆に改質原料ガスｃの供給量を増加させた場合には、湿り水蒸気取り出し口２１に連通する調整弁Ｂを絞り、飽和または過熱水蒸気取り出し口２０からの飽和または過熱水蒸気ｂ１の取り入れを増加させる。このように対応することにより、不必要な熱損失を生じることなくシフト層１１やＰＲＯＸ層１２の温度を所定温度に保持でき、運転状況の変動に対して高い効率で対処できる。さらに、改質用の水を用いて温度を調整していることから、燃焼用空気等を用いている場合に比較して、良好な制御性を得ることができる。
【００８３】
次に、本発明の小型軽量単管円筒式改質器に関する別の例が、本発明の第３の実施例として、図６に示される。
【００８４】
この改質器８２は、図６に示すように、内筒６５の内側の底を開放し、かつ内筒６５と内筒６６の間を上部で閉鎖してある。他の構成は図３に示した改質器８１と同様である。このように構成することにより、熱回収層５０とシフト層１１との間の空隙に、ＰＲＯＸ層１２に酸素を供給する空気通路４２を連通させ、シフト層１１への断熱効果を向上させることができる。また、熱回収層５０の底部とシフト層１１の底部とを近接させていないことから、改質器８２の底部からの放熱を抑制することができる。
【００８５】
尚、上記例では、ＰＲＯＸ層１２ａ、１２ｂに分け、改質器８２の最外層に２段に設けたが、ＰＲＯＸ層１２は１段でも、あるいは３段以上でもよく、更にシフト層１１を最外層にも設け、シフト層１１とＰＲＯＸ層１２とを最外層に２段に設けてもよい。又ＰＲＯＸ層１２としてのＣＯ除去器を改質器８２とは別体に設け、改質器８２の最外層をシフト層１１のみとしてもよい。
【００８６】
本発明の小型軽量単管円筒式改質器に関するさらに別の例が、本発明の第４の実施例として、図７に示される。
【００８７】
この改質器８３は、図７に示すように、熱回収層５０の上部（下流側）に副シフト層２７が設けられている。また、第２シフト層１１ｂを最外層の環状流路にも設け、シフト層１１ｂとＰＲＯＸ層１２とを最外層に２段に分けて設けてある。さらに、シフト層１１ａとＰＲＯＸ層１２および／または第２シフト層１１ｂとの環状流路の軸方向長さが、熱回収層５０の軸方向長さに比して短縮されており、それらの下方端部は外筒１０の底部付近まで達していない。またさらに、外筒１０と底板７６の間、底板７６と底板７８との間、熱回収層５０の周囲、つまり第６内筒６６と外筒１０との間、および熱回収層５０とシフト層１１の間、つまり第６内筒６６と第５内筒６５との間に断熱材５３が充填されている。
【００８８】
また、第１内筒６１と第２内筒６２との間に形成される最外層の環状流路、つまり第２シフト層１１ｂとＰＲＯＸ層１２との間には仕切板１７が設けてあり、仕切板１７によりシフト層１１ｂとＰＲＯＸ層１２とは区分されている。シフト層１１ｂの下流の外壁には排出口２３が周方向にほぼ均等に８ヶ所形成されている。また、ＰＲＯＸ層１２の上流の外壁には導入口２５が、ＰＲＯＸ用空気の供給口３０の取り付け位置に対向して１つ形成してある。
【００８９】
次に、改質器８３の作用について説明する。
【００９０】
外筒１０と底板７６の間、および底板７６と底板７８との間に断熱材が充填されていることから、底部付近からの熱の放散が防止でき、改質器８３からの無駄な熱損失を防止でき、熱効率を向上させることができる。また熱回収層５０の周囲と外筒１０との間、および熱回収層５０とシフト層１１の間に断熱材が充填されていることから、熱回収層５０からの熱の伝達を防止でき、熱回収層５０での熱損失を低減でき、またシフト層１１の温度上昇を抑制し、所定温度に保持させることができる。尚、底部付近に断熱材５３を設けることは、上記例に限らず、図３もしくは図６に示した改質器８１、８２に用いてもよい。
【００９１】
シフト層１１ａ、第２シフト層１１ｂならびにＰＲＯＸ層１２からなる環状流路の軸方向長さを短縮させたことから、熱回収層５０からシフト層１１ａおよび第２シフト層１１ｂへ伝達される熱量が低減でき、従来熱回収層５０からの熱で過熱しやすかったシフト層を適正な温度に保持することができ、シフト層におけるＣＯ転化率の低下を防止することができる。
【００９２】
副シフト層２７を熱回収層５０の上部、つまり下流側に設けたことにより、副シフト層２７の温度上昇を早めることができ、運転開始直後であっても副シフト層２７の触媒作用が早く作動可能となり、改質器８３の起動時間を短縮することができる。副シフト層２７の長さは、副シフト層２７の設置による起動時間の短縮と、定常運転時での副シフト層２７の過熱の程度等に応じて適宜選択する。
【００９３】
尚、上記例では副シフト層２７をシフト層１１ａの上流側に連続して設けたが、本発明は、このような構成に限るものではなく、単管円筒式改質器を副シフト層２７までとして構成してもよい。そして、主たるシフト層等を備えた触媒装置等を別個単管円筒式改質器に接続するようにしてもよい。この場合でも、単管円筒式改質器での副シフト層２７の温度上昇が早められ、副シフト層２７における触媒反応が早期に可能となり、起動時間等を短縮させることができる。
【００９４】
第２シフト層１１ｂの下流の外壁に排出口２３を周方向にほぼ均等に８ヵ所形成し、また、ＰＲＯＸ層１２の上流の外壁に導入口２５を１つ、ＰＲＯＸ用空気の供給口３０に対向して形成したことから、第２シフト層１１ｂを通過した改質ガスは排出口２３から排出され、空隙３１で空気供給口３０から供給された空気と合流し、空気と合流した改質ガスが導入口２５を通ってＰＲＯＸ層１２内に導入される。
【００９５】
従って、第２シフト層１１を通過した改質ガスは空気と確実に合流し、しかも導入口２５が１ヶ所であることから、導入口２５から導入する時に改質ガスと空気との混合が非常に良く行なわれる。このようにして空気との撹拌が十分に行なわれて、改質ガスがＰＲＯＸ層１２に導入されることから、選択酸化反応が効率良く行なわれ、選択酸化反応における水素の消費量を極力少なくして、ＣＯ濃度を所定値以下に低減させることができる。
【００９６】
尚、上記例では、ＰＲＯＸ層１２の下部に第２シフト層１１ｂを設置したが、ＰＲＯＸ層１２の下部に第２シフト層１１ｂを設置しなくともよい。その場合でも、シフト層１１ａを通過した改質ガスは空隙３１に排出され、空気と撹拌されてからＰＲＯＸ層１２に流入するようになる。また、ＰＲＯＸ層１２を設置せず、全体を第２シフト層１１としてもよい。その場合は、外部にＣＯ選択酸化機能を有する装置等を必要に応じて接続させる。
【００９７】
断熱材は、必ずしも上記全ての箇所に充填する必要はなく、改質器８３の各部の長さ、作動温度、各部の間隔の距離等各種条件に応じて、適宜省略してもよい。また排出口２３を周方向にほぼ均等に８ヵ所形成し、また導入口２５を１ヶ所としたが、それに限らず、複数箇所に適宜設けてよい。
【図面の簡単な説明】
【００９８】
【図１】従来の単管円筒式改質器の概略構成を示す縦断面図である。
【図２】本発明の第１の実施例による単管円筒式改質器の概略構成を示す縦断面図である。
【図３】本発明の第２の実施例による単管円筒式改質器の概略構成を示す縦断面図である。
【図４】図３におけるＩＶ−ＩＶ線に沿った水平断面図である。
【図５】本発明の単管円筒式改質器における主要な運転動作を説明するフローチャートである。
【図６】本発明の第３の実施例による単管円筒式改質器の概略構成を示す縦断面図である。
【図７】本発明の第４の実施例による単管円筒式改質器の概略構成を示す縦断面図である。
【符号の説明】
【００９９】
１  外筒
１ｂ、３a  蓋板
２  中間筒
３  内筒
４  轄射筒
５  改質触媒
６  バーナ取付台
７  バーナ
８  燃焼炎
９  燃焼室
５１  予熱層
７１  底
７６、７８  底板
【図１】
2004323353.tif 000003
【図２】
2004323353.tif 000004
【図３】
2004323353.tif 000005
【図４】
2004323353.tif 000006
【図５】
2004323353.tif 000007
【図６】
2004323353.tif 000008
【図７】
2004323353.tif 000009